(57)【要約】      （修正有）【課題】あまり派手ではなく、花束が傷まず、持ち運びしやすく、花束を手軽に包装でき、さらには安価で量産可能なフラワーホルダーを提供する。【解決手段】板紙の内面に複数の内折線を入れ、内面及び外面に複数の面ファスナーを貼り、その内折線により折り曲げ、相対する面ファスナーを互に接合して、上方に開口部を、下方に有底筒状の底部を形成させる折りたたみ式フラワーホルダー型紙を量産し、これを形成させて折りたたみ式フラワーホルダーとする。【選択図】図２
0003158433.tif 000002
【実用新案登録請求の範囲】
【請求項１】
板紙の内面に複数の内折線を入れ、内面及び外面に複数の面ファスナーを貼り、その内折線により折り曲げ、相対する面ファスナーを互に接合して、上方開口部、中間開口部及び有底筒状の底部を形成させる折りたたみ式フラワーホルダーの型紙。
【請求項２】
請求項１の折りたたみ式フラワーホルダーの型紙について、その内折線により折り曲げ、相対する面ファスナーを互に接合して、上方開口部、中間開口部及び有底筒状の底部を形成させ、花束が入るようにした、折りたたみ式フラワーホルダー。
【考案の詳細な説明】
【技術分野】
【０００１】
本考案は、花束を束ねて持ち運ぶ携帯用の折りたたみ式フラワーホルダーに関する。
【背景技術】
【０００２】
結婚式などで花束が用いられるが、花束は複数本の花の茎の部分をひもで束ねて銀紙で巻きつけ、その上に防水性の樹脂フィルムで包みつくられるのが一般的である。
【０００３】
こうしたなか、花束の見栄えの良さを目的とするフラワー用外装具（特許文献１)や周面の縦方向に設けた複数の折り目により交互に内外方に折り曲げて開口部を星形断面とした花束ホルダー（特許文献２）が提案されている。
【０００４】
【特許文献１】特開２００５−１４９８７公報
【特許文献２】実開平６−２４５６９公報
【考案の開示】
【考案が解決しようとする課題】
【０００５】
しかし、特許文献１のフラワー用外装具は、外側包装体にメッシュを用い、内側包装体に不織布を用い、熱融着で両者を接着するため、花束の包装作業には手間がかかり、さらに、高価であると思われる。また、特許文献２の花束ホルダーでは、手軽に花束ホルダーを形成できるが、ホルダー本体と共に花の茎を直接締めつけて花束を固定し、花束を支える底がなく花束の一部が落下する場合もあり得る。
【０００６】
さて、本考案者は、園芸販売・観葉植物のレンタル及び樹木の剪定業務を長年にわたり営んできた。花束を顧客に販売するに当たり、紙等で包むか、花束専用の手提げ袋、あるいはビニール袋に包装して引き渡すことが行われてきた。しかし、こうして包装された花束は、持ち運びの際、丈があるため引きずったり、包装の中でずれたりして邪魔になりやすかった。また、結婚式場での花束は見栄えの良さを強調することも重要であるが、定年退職を機に会社から送られる花束は、受け取った人が花束を持ち自宅に帰るには、その見栄えの良さから、恥ずかしいというか照れくさいという感じがするという声もあった。また人が多い場所では、包装紙や花が他人の顔や服に接触しトラブルを起こすようなこともあった。
【０００７】
そこで、本考案者は、あまり派手ではなく、花束が傷まず、持ち運びしやすく、花束を手軽に包装できるフラワーホルダーを思案していた。そして、店頭に複数重ねて置き、顧客が必要な時には、手軽に花束を包装できる折りたたみ式フラワーホルダーの型紙とこれを利用した折りたたみ式フラワーホルダーを考案した。
【０００８】
すなわち、第１の考案は、板紙の内面に複数の内折線を入れ、内面及び外面に複数の面ファスナーを貼り、その内折線により折り曲げ、相対する面ファスナーを互に接合して、上方開口部、中間開口部及び有底筒状の底部を形成させる折りたたみ式フラワーホルダーの型紙である。
【０００９】
板紙とは、紙の中でも厚く、所定の立体的形状を維持できるものを指す。一般的には多層抄きが多いが、単層抄きも含まれ、ここでは、段ボール紙、白板紙等も含まれる。内面とは、後述するが、折りたたみ式フラワーホルダーの型紙を折りたたみ式フラワーホルダーに形成した時、花束が入る側の面をいい、反対の側を外面という。内折線は、板紙をその線上で折り曲げやすくした線をいい、内面に付けられる。内折線は、プレス加工やミシン目により付けられるが、その方法は問わない。面ファスナーとは、フック状に起毛された側とループ状に起毛された側とを押し付けると貼りつきまた剥がすことができるものをいうが、フックとループが両方植え込まれたものもあり、相対する面が貼りつき剥がせる機能があれば、その構造は問わない。型紙とは、内折線により折り曲げ、相対する面ファスナーを互に接合することにより、折りたたみ式フラワーホルダーが形成される形状に作られた板紙をいう。
【００１０】
続いて第２の考案は、第１の考案の折りたたみ式フラワーホルダーの型紙について、その内折線により折り曲げ、相対する面ファスナーを互に接合して、上方開口部、中間開口部及び有底筒状の底部を形成させ、花束が入るようにした、折りたたみ式フラワーホルダーである。
【００１１】
第１の考案である折りたたみ式フラワーホルダーの型紙の内折線により折り曲げ、相対する面ファスナーを互に接合して形成され、花束が入るように立体的構造になったものを折りたたみ式フラワーホルダーとする。
【考案の効果】
【００１２】
第１の考案では、板紙を使用して型紙とするため、量産に適し、製造コストを安価にすることができる。また型紙であり、平面的であるため、店頭に重ねて置くことができ場所をとらない。
【００１３】
第２の考案では、内折線、面ファスナーを使用し、その場で花束を入れる折りたたみ式フラワーホルダーとして形成することができるため、花束を購入する顧客の必要に応じて、その場で、花束を入れて販売することができる。さらに持ち運びしやすく、花束を結ぶリボンの形を崩すことなく使用できる。
【図面の簡単な説明】
【００１４】
【図１】図１は、折りたたみ式フラワーホルダーの型紙試作品の外面写真である。
【図２】図２は、折りたたみ式フラワーホルダーの型紙試作品の内面写真である。
【図３】図３は、折りたたみ式フラワーホルダーの正面写真である。
【図４】図４は、折りたたみ式フラワーホルダーの平面写真である。
【図５】図５は、折りたたみ式フラワーホルダーの側面写真である。
【図６】図６は、底部の底板を折りたたみ式フラワーホルダーの後方下にするように面ファスナーを貼りなおした部分の写真である。
【図７】図７は、折りたたみ式フラワーホルダーに花束が入っている写真である。
【図８】図８は、花束が入っている折りたたみ式フラワーホルダーを把持している写真である。
【考案を実施するための形態】
【００１５】
以下に本考案の実施例を示す。
【実施例１】
【００１６】
図１は、第１の考案の折りたたみ式フラワーホルダーの型紙１試作品の外面写真であり、図２は、折りたたみ式フラワーホルダーの型紙試作品の内面写真である。
【００１７】
板紙は、プレス加工により図１、図２の外形に裁断されるとともに、把持用孔２３  、吊り掛け用孔２４もあけられる。図１の外面においても面ファスナー１２が付けられている。図２の内面には、面ファスナー１２や内折線１１も付けられる。内折線はプレス加工により付けられている。今回の試作品ではプレス加工により裁断され、内折線１１も同時にプレス加工により付けられているが、加工方法は問わない。なお、内折線１１は、多数あり、矢印に示すものだけではない。
【実施例２】
【００１８】
図３から図５は、第２の考案の折りたたみ式フラワーホルダーの型紙１について、その内折線により折り曲げ、相対する面ファスナーを互に接合して、上方開口部、中間開口部及び有底筒状の底部を形成させ、花束が入るようにした、折りたたみ式フラワーホルダー２の写真であり、図３が正面、図４が平面、図５が側面からとった写真である。
【００１９】
吊り掛け用孔２４は、壁のフックに掛けるためであり、把持用孔２３は、持ち運びのため指を入れて把持するためである。底部２５は筒状となっていて、底板２６が付き花束が落下しない構造としている。また、図６に示すように、底部の側板２７をそのままにして、底板２６を折りたたみ式フラワーホルダーの後方に折り曲げるように面ファスナーの貼る位置を変えて、底板をつい立のように使用して安定させて折りたたみ式フラワーホルダーを立てるようにすることもできる。
【実施例３】
【００２０】
図７は、花束３が入っている折りたたみ式フラワーホルダー２の写真である。折りたたみ式フラワーホルダー２が立体的に形成されても、上方開口部２１から花束の茎の部分から入れていき、中間開口部２２でそれを引き下げるようにすれば、容易に花束は折りたたみ式フラワーホルダーに入れることができる。また、中間開口部２２があるため、花束用リボン３１は、変形されることなく、外部から見ることができる。図８は、把持用孔２３にて折りたたみ式フラワーホルダー２を把持している写真である。このようにすれば、花束を抱きかかえる必要はなく、片手で容易に持ち運びすることができる。
【産業上の利用可能性】
【００２１】
折りたたみ式フラワーホルダーの型紙は、量産に適し、面ファスナーを使用しているため、繰り返し使用できる。また金属類を使用しないため、廃棄するときも分別等の手間を要しない。また安価に製造でき、需要が期待される。
【符号の説明】
【００２２】
１    折りたたみ式フラワーホルダーの型紙  １１  内折線  １２  面ファスナー  
２    折りたたみ式フラワーホルダー  ２１  上方開口部    ２２  中間開口部  
２３  把持用孔  ２４  吊り掛け用孔  ２５  底部  ２６  底部の底板  ２７  底部の側板
３  花束  ３１  花束用リボン
【図１】
0003158433.tif 000003
【図２】
0003158433.tif 000004
【図３】
0003158433.tif 000005
【図４】
0003158433.tif 000006
【図５】
0003158433.tif 000007
【図６】
0003158433.tif 000008
【図７】
0003158433.tif 000009
【図８】
0003158433.tif 000010
【手続補正書】
【提出日】平成22年2月2日(2010.2.2)
【手続補正１】
【補正対象書類名】実用新案登録請求の範囲
【補正対象項目名】請求項２
【補正方法】変更
【補正の内容】
【請求項２】
請求項１の折りたたみ式フラワーホルダーの型紙を、その内折線により折り曲げ、相対する面ファスナーを互に接合して、上方開口部、中間開口部及び有底筒状の底部を形成させ、花束が入るようにした、折りたたみ式フラワーホルダー。
【手続補正２】
【補正対象書類名】明細書
【補正対象項目名】００１０
【補正方法】変更
【補正の内容】
【００１０】
続いて第２の考案は、第１の考案の折りたたみ式フラワーホルダーの型紙を、その内折線により折り曲げ、相対する面ファスナーを互に接合して、上方開口部、中間開口部及び有底筒状の底部を形成させ、花束が入るようにした、折りたたみ式フラワーホルダーである。